(57)【要約】【課題】裏表紙添付を容易にする。【解決手段】原稿読取装置２１０，２３０，読取った画像を用紙上に印刷する作像手段１５−２７，６０，作像手段に複数の給紙トレイの中の用紙を送給する給紙手段８−１４、および、裏表紙添付の設定に従って給紙手段を用いて裏表紙送給に設定された給紙トレイから作像手段に用紙を送り出す制御手段１３１、を備える画像形成装置において、１原稿の読取りの次の別原稿の読取り有無を判定する手段２２３，１３１；を備え、制御手段１３１は、判定手段が別原稿の読取無しを判定したときに給紙手段を用いて裏表紙送給に設定された給紙トレイ８から用紙を送り出して作像手段１５−２７，６０により該１原稿の前記原稿読取装置２１０，２３０が読取った画像を該用紙上に作像する（図８の８−１０−１１−１３−１６）；ことを特徴とする。【選択図】  図８
2005049502.tif 000002
【特許請求の範囲】
【請求項１】
原稿画像を読取る原稿読取装置，該原稿読取装置が読取った画像を用紙上に印刷する作像手段，該作像手段に複数の給紙トレイの中の用紙を送給する給紙手段、および、裏表紙添付の設定に従って前記給紙手段を用いて裏表紙送給に設定された給紙トレイから前記作像手段に用紙を送り出す制御手段、を備える画像形成装置において、
１原稿の読取りの次の別原稿の読取り有無を判定する手段；を備え、前記制御手段は、該判定手段が別原稿の読取無しを判定したときに前記給紙手段を用いて裏表紙送給に設定された給紙トレイから用紙を送り出して前記作像手段により該１原稿の前記原稿読取装置が読取った画像を該用紙上に作像する；ことを特徴とする画像形成装置。
【請求項２】
原稿画像を読取って画像データを発生する原稿読取装置，該原稿読取装置が読取った画像を用紙上に印刷する作像手段，該作像手段に複数の給紙トレイの中の用紙を送給する給紙手段、および、裏表紙添付の設定に従って前記給紙手段を用いて裏表紙送給に設定された給紙トレイから前記作像手段に用紙を送り出す制御手段、を備える画像形成装置において、
１原稿の読取りの次の別原稿の読取り有無を判定する手段；を備え、前記制御手段は、該判定手段が別原稿の読取無しを判定したときに前記給紙手段を用いて裏表紙送給に設定された給紙トレイとは別の給紙トレイから用紙を送り出して前記作像手段により該１原稿の前記原稿読取装置が読取った画像を該用紙上に作像し、次いで前記給紙手段を用いて裏表紙送給に設定された給紙トレイから用紙を送り出す；ことを特徴とする画像形成装置。
【請求項３】
原稿画像を読取って画像データを発生する原稿読取装置，該原稿読取装置が読取った画像を用紙上に印刷する作像手段，該作像手段に複数の給紙トレイの中の用紙を送給する給紙手段、および、裏表紙添付の設定に従って前記給紙手段を用いて裏表紙送給に設定された給紙トレイから前記作像手段に用紙を送り出す制御手段、を備える画像形成装置において、
裏表紙への画像印刷を指定する手段；および、１原稿の読取りの次の別原稿の読取り有無を判定する手段；を備え、
前記制御手段は、前記指定手段が裏表紙への画像印刷を指定しているときには、前記判定手段が別原稿の読取無しを判定したときに前記給紙手段を用いて裏表紙送給に設定された給紙トレイから用紙を送り出して前記作像手段により該１原稿の前記原稿読取装置が読取った画像を該用紙上に作像し、
前記指定手段が裏表紙への画像印刷を指定していないときには、前記判定手段が別原稿の読取無しを判定したときに前記給紙手段を用いて裏表紙送給に設定された給紙トレイとは別の給紙トレイから用紙を送り出して前記作像手段により該１原稿の前記原稿読取装置が読取った画像を該用紙上に作像し、次いで前記給紙手段を用いて裏表紙送給に設定された給紙トレイから用紙を送り出す；ことを特徴とする画像形成装置。
【請求項４】
前記１原稿の読取りの次の別原稿の読取り有無を判定する手段は、自動原稿送給装置の原稿台に原稿があるかを検出する手段；および、該検出手段が前記１原稿の送給の次に原稿を検出すると別原稿の読取り有と、検出しないと読取無しと判定する状態読取手段；を含む、請求項１乃至３のいずれか１つに記載の画像形成装置。
【請求項５】
前記状態読取手段は、前記検出手段の検出が原稿ありから無しに切換ってから設定時間内に原稿ありに戻ると別原稿の読取り有と、該設定時間原稿なしが継続すると別原稿の読取り無しと判定する；請求項４に記載の画像形成装置。
【請求項６】
前記１原稿の読取りの次の別原稿の読取り有無を判定する手段は、自動原稿送給装置の原稿台に原稿があるかを検出する手段；および、自動原稿送給装置の原稿台に原稿がなく読取指示に応答して前記１原稿の読取をした後、設定時間内に読取指示があると別原稿の読取り有と、該設定時間内に読取指示がないと別原稿の読取り無しと判定する状態読取手段；を含む請求項１乃至５のいずれか１つに記載の画像形成装置。
【発明の詳細な説明】
【０００１】
【発明の属する技術分野】
本発明は、原稿画像読取装置およびそれが読取った画像を印刷するプリンタを含む、複写機あるいは複写システムに関し、具体的には、一連の複写物の末尾に裏表紙を配置する裏表紙添付に関する。
【０００２】
【従来技術】
近年、コピーやプリンタ印刷で使用する印刷モード、紙の種類、紙のサイズなどの設定がより詳細に行なえるようになり、ユーザーが期待する多くの機能を実現することが可能となってきている。ユーザーが自由に転写紙（用紙）の大きさを設定し使用する事も可能で、各種サイズの原稿の読取が可能なスキャナもある。各種サイズの原稿や転写紙を使用する場合でも、各種モードのコピー又は印刷が可能である事が要望される。
【０００３】
多くのコピー，印刷モードが存在するが、表紙添付の機能の一つに「裏表紙」添付がある。裏表紙添付には、裏表紙に印刷を行なう設定と印刷を行なわない設定があり、これらの設定が選択可能である。裏表紙に印刷を行なう設定だと、最終画像を裏表紙に印刷を行なう。裏表紙に印刷を行なわない設定だと、裏表紙は白紙（印刷なし）で排出される。
【０００４】
【特許文献１】特開平１１−１５０６２５号公報は、原稿スキャナで読取る複数の原稿画像を記憶するメモリを備えて、表紙（表表紙）および裏表紙に画像形成する設定があるときには、表紙画像処理テーブルを作成して、表紙用原稿画像のページ情報をメモリから読み出して表紙を半折にできる画像レイアウトを行ってから印刷を実行する画像形成装置を記載している。
【０００５】
【特許文献２】特開２００１−２０５８５７号公報は、コンピュータが与える画像データを印刷データに展開して画像形成装置に与えるコントローラによって、印刷ドキュメントを包み込み可能な大きさの表表紙，裏表紙，背表紙を印刷する表紙データを生成して画像形成装置で印刷する画像形成システムを記載している。
【０００６】
【特許文献３】特開２００３−１６２４０４号公報は、表紙を挿入する場合には、印刷レイアウトを生成して挿入用紙の各ページ毎に、印刷可能なページか否かを判定して表示し、表紙の用紙サイズを決定する情報処理装置を記載している。
【０００７】
【発明が解決しようとする課題】
コピーで裏表紙に印刷を行なう場合は、裏表紙に指定したトレイにセットされている転写紙のサイズと同じサイズで画像読取を行なわなければならない。しかし、コピーで裏表紙設定を行なうと、原稿の読み取り動作を行なう段階では最終画像かどうか判定する事が出来ない場合がある。従って裏表紙に印刷を行なう場合は、裏表紙に指定したトレイにセットされている転写紙のサイズを読取サイズとして読み取りを行なう事は出来ない。そのため、本文印刷用の転写紙（中用紙）を給紙するトレイと、裏表紙に指定したトレイの転写紙サイズを同じサイズにさせる必要があったためコピースタートを行なわせない様に制限をかけていた。
【０００８】
本発明は、裏表紙添付を容易にすることを目的とする。
【０００９】
【課題を解決するための手段】
（１）原稿画像を読取る原稿読取装置（２１０，２３０），該原稿読取装置が読取った画像を用紙上に印刷する作像手段（１５−２７，６０），該作像手段に複数の給紙トレイの中の用紙を送給する給紙手段（８−１４）、および、裏表紙添付の設定に従って前記給紙手段を用いて裏表紙送給に設定された給紙トレイから前記作像手段に用紙を送り出す制御手段（１３１）、を備える画像形成装置において、
１原稿の読取りの次の別原稿の読取り有無を判定する手段（２２３，１３１）；を備え、前記制御手段（１３１）は、該判定手段が別原稿の読取無しを判定したときに前記給紙手段を用いて裏表紙送給に設定された給紙トレイ（８）から用紙を送り出して前記作像手段（１５−２７，６０）により該１原稿の前記原稿読取装置（２１０，２３０）が読取った画像を該用紙上に作像する（図８の８−１０−１１−１３−１６）；ことを特徴とする画像形成装置。
【００１０】
なお、理解を容易にするためにカッコ内には、図面に示し後述する実施例の対応要素の記号を、例示として参考までに付記した。以下も同様である。
【００１１】
これによれば、最終ページの原稿の読取をしたときには、次の別原稿の読取りはないので、裏表紙送給に設定された給紙トレイから用紙が送出されてそれに、読取った画像すなわち最終ページの画像が印刷される。最終ページよりも前の原稿の読取りであったときには、次の別原稿の読取りがあるので、裏表紙送給に設定された給紙トレイとは別の給紙トレイから用紙（中用紙）が送出されてそれに、読取った画像すなわち最終ページよりも前のページの画像が印刷される。裏表紙挿入位置をユーザが設定しなくても、自動的に、最終ページ位置に裏表紙が画像を印刷して配置される。
【００１２】
【発明の実施の形態】
（２）原稿画像を読取る原稿読取装置（２１０，２３０），該原稿読取装置が読取った画像を用紙上に印刷する作像手段（１５−２７，６０），該作像手段に複数の給紙トレイの中の用紙を送給する給紙手段（８−１４）、および、裏表紙添付の設定に従って前記給紙手段を用いて裏表紙送給に設定された給紙トレイから前記作像手段に用紙を送り出す制御手段（１３１）、を備える画像形成装置において、
１原稿の読取りの次の別原稿の読取り有無を判定する手段（２２３，１３１）；を備え、前記制御手段（１３１）は、該判定手段（２２３，１３１）が別原稿の読取無しを判定したときに前記給紙手段を用いて裏表紙送給に設定された給紙トレイ（８）とは別の給紙トレイ（９／１０）から用紙を送り出して前記作像手段により該１原稿の前記原稿読取装置が読取った画像を該用紙上に作像し、次いで前記給紙手段を用いて裏表紙送給に設定された給紙トレイ（８）から用紙を送り出す；ことを特徴とする画像形成装置。
【００１３】
これによれば、最終ページの原稿の読取をしたときには、次の別原稿の読取りはないので、裏表紙送給に設定された給紙トレイ（８）とは別の給紙トレイ（９／１０）から用紙が送出されてそれに、読取った画像すなわち最終ページの画像が印刷される。そして、裏表紙送給に設定された給紙トレイ（８）から用紙（裏表紙）が送出される。裏表紙挿入位置をユーザが設定しなくても、自動的に、裏表紙位置に裏表紙が画像を印刷しないで配置される。
【００１４】
（３）原稿画像を読取る原稿読取装置（２１０，２３０），該原稿読取装置が読取った画像を用紙上に印刷する作像手段（１５−２７，６０），該作像手段に複数の給紙トレイの中の用紙を送給する給紙手段（８−１４）、および、裏表紙添付の設定に従って前記給紙手段を用いて裏表紙送給に設定された給紙トレイから前記作像手段に用紙を送り出す制御手段（１３１）、を備える画像形成装置において、
裏表紙への画像印刷を指定する手段（図７の７９）；および、１原稿の読取りの次の別原稿の読取り有無を判定する手段（２２３，１３１）；を備え、
前記制御手段（１３１）は、前記指定手段が裏表紙への画像印刷を指定しているときには、前記判定手段（２２３，１３１）が別原稿の読取無しを判定したときに前記給紙手段（８−１４）を用いて裏表紙送給に設定された給紙トレイ（８）から用紙を送り出して前記作像手段（１５−２７，６０）により該１原稿の前記原稿読取装置（２１０，２３０）が読取った画像を該用紙上に作像し、
前記指定手段が裏表紙への画像印刷を指定していないときには、前記判定手段（２２３，１３１）が別原稿の読取無しを判定したときに前記給紙手段（８−１４）を用いて裏表紙送給に設定された給紙トレイ（８）とは別の給紙トレイ（９／１０）から用紙を送り出して前記作像手段（１５−２７，６０）により該１原稿の前記原稿読取装置が読取った画像を該用紙上に作像し、次いで前記給紙手段（８−１４）を用いて裏表紙送給に設定された給紙トレイから用紙を送り出す；ことを特徴とする画像形成装置。
【００１５】
これによれば、上記（１）の、画像を印刷した裏表紙の添付と、上記（２）の画像を印刷しない裏表紙の添付とを、前記指定手段（図７の７９）を用いて、選択的に設定できる。
【００１６】
（４）前記１原稿の読取りの次の別原稿の読取り有無を判定する手段（２２３，１３１）は、自動原稿送給装置（２３０）の原稿台（２４１）に原稿があるかを検出する手段（２２３）；および、該検出手段（２２３）が前記１原稿の送給の次に原稿を検出すると別原稿の読取り有と、検出しないと読取無しと判定する状態読取手段（２１０，１３１；図８の８）；を含む、上記（１）乃至（３）のいずれか１つに記載の画像形成装置。
【００１７】
これによれば、原稿台２４１上の原稿束の最後の原稿が送出されると検出手段（２２３）の検出が原稿ありから原稿無しに切換り、状態読取手段（２１０，１３１；図８の８）が別原稿の読取り無し、と判定する。これによって、上記（１）の、画像を印刷した裏表紙の添付、又は、上記（２）の画像を印刷しない裏表紙の添付、が自動的に行われる。
【００１８】
（５）前記状態読取手段（１３１）は、前記検出手段（２２３）の検出が原稿ありから無しに切換ってから設定時間内に原稿ありに戻ると別原稿の読取り有と、該設定時間原稿なしが継続すると別原稿の読取り無しと判定する；上記（４）に記載の画像形成装置。
【００１９】
これによれば、例えば一群の原稿を複数束にわけて各原稿束毎に順次に自動原稿供給装置（２３０）に配置して画像読取をするが、裏表紙は、該一群の原稿の最後の画像に割りつけるか、又はその後に添付する場合、先行の原稿束の画像読取を終了してから前記設定時間内に次の原稿束を自動原稿供給装置（２３０）に配置することにより、最後の原稿束の画像読取を完了するときだけ裏表紙が配置される。先行の原稿束に対しては裏表紙は添付されない。頁数が多いドキュメントの最後に裏表紙を添付する場合でも、ユーザによる裏表紙位置指定が不要である。
【００２０】
（５ａ）更に、画像のつなぎを指定する手段（図７の７９）；を備え、前記状態読取手段は、画像のつなぎが指定されている場合に、前記検出手段の検出が原稿ありから無しに切換ってから設定時間内に原稿ありに戻ると別原稿の読取り有と、該設定時間原稿なしが継続すると別原稿の読取り無しと判定し、画像のつなぎの指定がない場合には、前記１原稿の送給の次に原稿を検出すると別原稿の読取り有と、検出しないと読取無しと判定する；上記（５）に記載の画像形成装置。
【００２１】
これによれば、自動原稿供給装置（２３０）に配置する原稿束の単位で裏表紙を添付するか、あるいは、次々に自動原稿供給装置（２３０）に配置する原稿束を一群として、最後に配置する原稿束に対してのみ裏表紙を添付するかを、前記つなぎ指定手段（図７の７９）で選択設定できる。
【００２２】
（６）前記１原稿の読取りの次の別原稿の読取り有無を判定する手段（２２３，１３１）は、自動原稿送給装置（２３０）の原稿台（２４１）に原稿があるかを検出する手段（２２３）；および、自動原稿送給装置（２３０）の原稿台（２４１）に原稿がなく読取指示（スタート入力）に応答して前記１原稿の読取をした後、設定時間内に読取指示があると別原稿の読取り有と、該設定時間内に読取指示がないと別原稿の読取り無しと判定する状態読取手段（１３１）；を含む上記（１）乃至（５）のいずれか１つに記載の画像形成装置。
【００２３】
これによれば、例えばブック原稿の数ページをフラットベッド型（圧板読取型：コンタクトガラス上に原稿を手置）の画像走査機構を用いて走査読取する場合、１ページ毎順次コンタクトガラス上に設定するが、裏表紙は、該数ページの複写の最後の画像に割りつけるか、又はその後に添付する場合、先行の各ページの画像読取を終了してから前記設定時間内に次のページをコンタクトガラス上に設定して読取指示（スタート入力）することにより、最後のページの画像読取を完了するときだけ裏表紙が配置される。先行のページに対しては裏表紙は添付されない。頁数が多いブック原稿の所要数ページの記事の最後のページに裏表紙を添付する場合でも、ユーザによる裏表紙位置指定が不要である。
【００２４】
（７）更に、前記原稿読取装置が読取った前記１原稿の画像を表す画像データを記憶するメモリ手段（ＭＥＭ）；を備え、前記制御手段（１３１）は、前記別原稿の読取り有無の判定後に、該メモリ手段の画像データに基いて前記作像を行う（図８の９，１４，１６，２０）；上記（１）乃至（６）の何れか１つに記載の画像形成装置。
【００２５】
これによれば、画像読取＆メモリ手段への画像データの書込みと並行して、又は、書込後にメモリデータに基いて読取画像サイズを判定して、これをメモリデータの印刷のときの所要用紙サイズあるいは変倍の所要倍率の決定に参照できる。
【００２６】
（８）更に、前記メモリ手段（ＭＥＭ）に書込んだ画像のサイズを判定する手段（ＩＰＰ）；および、前記原稿読取装置が読取った画像を前記作像手段による作像用に補正する画像データ処理手段（ＩＰＰ）；を備え、前記制御手段（１３１）は、前記１原稿の画像を前記裏表紙送給に設定された給紙トレイ（８）から送出する用紙に前記１原稿の画像を印刷するときには、該画像が該用紙のサイズに入るように前記画像データ処理手段（ＩＰＰ）で前記１原稿の画像を変倍する；上記（７）に記載の画像形成装置。これによれば、原稿画像が裏表紙サイズより大きい場合でも、原稿画像を漏れなく裏表紙に印刷することができる。すなわち、原稿サイズより小さいサイズの裏表紙の添付が可能である。
【００２７】
本発明の他の目的および特徴は、図面を参照した以下の実施例の説明より明らかになろう。
【００２８】
【実施例】
図１に、本発明の１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、プリンタＰＴＲの機内の制御ボードの画像データ処理装置ＡＣＰ（図４）と直接または間接に通信を行いタイミング制御されて原稿画像の読み取りを行う。
【００２９】
画像データ処理装置ＡＣＰ（図４）には、パソコンＰＣが接続したＬＡＮ（Ｌｏｃａｌ  Ａｒｅａ  Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００３０】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００３１】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。この実施例では、表表紙，中表紙（合紙）あるいは裏表紙とする用紙は第１トレイに、通常のコピー紙（普通紙）は第２トレイ９および第３トレイ１０に収納するように定めており、各トレイには、収納した用紙のサイズを表わす摘みつきのエンコーダ（用紙サイズコード発生器）が装備されており、それらが発生する用紙サイズコードを、プロセスコントローラ１３１（図４）が読取る。
【００３２】
スキャナ２１０にて読み込まれた画像データは、画像データ処理器ＩＰＰ（図４）で補正され、一旦メモリＭＥＭ（図４）に書き込まれてから、読み出され、読み出した画像データを用いる書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３３】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３４】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。
【００３５】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００３６】
その後、両面給紙ユニット１１１にストックされた転写紙は再び感光体１５に作像されたトナー画像を転写するために、両面給紙ユニット１１１から再給紙され、経路切り替えの為の分岐爪１９を図示水平に戻し、排紙トレイ１０４に導く。この様に転写紙の両面に画像を作成する場合に、反転ユニット１１２および両面給紙ユニット１１１が使用される。
【００３７】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００３８】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００３９】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００４０】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００４１】
また、原稿の裏面の画像は、光源および撮像素子を内蔵する撮像装置４０８で読取られ光電変換される。すなわちＲＧＢ各色画像信号に変換される。撮像装置４０８に対向する白色背板４０９があり、撮像装置４０８と白色背板４０９の間を原稿が通過する。
【００４２】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００４３】
図４に、図１に示す複写機の画像処理系統のシステム構成を示す。このシステムでは、読取ユニット２１１と画像データ出力Ｉ／Ｆ（Ｉｎｔｅｒｆａｃｅ：インターフェイス）２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）から、書込みＩ／Ｆ１３４でＹＭＣＫ記録画像データを受けて、作像ユニット１３５でプリントアウトする。作像ユニット１３５は、図２に示すものである。
【００４４】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００４５】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００４６】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００４７】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００４８】
画像メモリアクセス制御ＩＭＡＣ（以下では単にＩＭＡＣと記述）は、ＭＥＭおよびＨＤＤに対する画像データ，制御データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００４９】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００５０】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、所要時は変倍し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５１】
ＩＭＡＣは、システムコントローラ３１ａの制御に基づいて、画像データとＭＥＭ，ＨＤＤのアクセス制御，ＬＡＮ上に接続した図示しないパソコンＰＣ（以下では単にＰＣと表記）のプリント用データの展開，ＭＥＭ，ＨＤＤの有効活用のための画像データの圧縮／伸張をおこなう。
【００５２】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【００５３】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５４】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能等の処理内容を設定する。
【００５５】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００５６】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００５７】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００５８】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００５９】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００６０】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００６１】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。
【００６２】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【００６３】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００６４】
図５に、ＩＰＰの画像処理機能の概要を示す。ＩＰＰは分離生成（画像が文字領域か写真領域かの判定：像域分離）１９２，地肌除去１９３，スキャナガンマ変換１９４，フィルタ１９５，色補正３０２，変倍（ｄｐｉ変換を含む）３０３，画像加工３０４，プリンタガンマ変換３０５および階調処理６０６を行う。ＩＰＰは画像処理をおこなうプログラマブルな演算処理手段である。スキャナ２１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【００６５】
図６に示す様に、操作ボード２２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に係らず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能等を指定するための選択キーが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００６６】
液晶タッチパネル７９には、各種機能キー及び画像形成装置の状態を示すメッセージなどが表示される。液晶液晶タッチパネル７９には、「コピー」機能，「スキャナ」機能，「プリント」機能，「ファクシミリ」機能，「蓄積」機能，「編集」機能，「登録」機能およびその他の機能の選択用および実行中を表わす機能選択キー８０ｇが表示される。機能選択キー８０ｇで指定された機能に定まった入出力画面が表示され、例えば「複写」機能が指定されているときには、図６に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００６７】
この実施例では、第１トレイ８を、表紙添付用紙の収納用に定めており、表紙キー７９ｄにユーザがタッチすると、すでに表紙指定中であるときには表紙非指定（指定無し表示）に表記キー７９ｄの表示が切り換る。表紙非指定状態でユーザが表紙キー７９ｄにユーザすると、表紙指定に表記キー７９ｄの表示が切り換る。表紙指定状態（図６）では、表紙添付モードの複写で、表紙（表表紙および又は裏表紙）を給送するタイミングでしか、第１トレイ８からの用紙の送給はない。第１トレイ８を給紙に指定するユーザ入力は無視される。すなわち、第１トレイ８を給紙段に指定できない。表紙非指定状態では、第１トレイ８を給紙に指定することができ、それを給紙段に指定して複写又は印刷をスタートすると、第１トレイ８から用紙が送出される。
【００６８】
通常の場合、表紙には着色紙，厚紙，異質媒体など特別な用紙が用いられ、中用紙（表表紙と裏表紙で挟まれる用紙：本文紙）には普通紙が用いられる。表紙として特別な用紙を第１トレイ８に収納した場合には、ユーザは、表紙キー７９ｄを表紙指定状態に操作しなければならない。さもないと、通常の普通紙への印刷を意図する複写又はプリントで第１トレイ８から特別紙を送給してしまうことがある。
【００６９】
液晶タッチパネル７９に表示された「表紙添付」キー７９ｃにユーザがタッチすると、操作ボード２２０は、これが「表紙添付」キー７９ｃを非指定表示していたときであると、液晶タッチパネル７９に図７に示す表紙添付を設定する画面を表示する。
【００７０】
なお、図７に示す表示は以前の設定状態を示す。これは、印刷無しで表表紙を添付し、しかも読取画像の最後の画像を裏表紙に印刷し、更に、ユーザの数回の原稿載置行為を一連（一群）の原稿のものと見なす「読取のつなぎ」を指定し、つながっていると判定するための原稿載置時間間隔の最大値（Ｒｗ）を１２秒に指定していることを意味する。この表紙添付の指定情報は操作ボード２２０の不揮発メモリに登録されている。ここでユーザが必要なら変更入力をして表示画面上の「設定」キーにタッチすると、変更後の情報に登録が書き変えられる。液晶タッチパネル７９は、元の画面（図６）に戻される。ただし、「表紙添付」キー７９ｃは、表紙添付指定状態を示す表示に切換っている。「表紙添付」キー７９ｃが表紙添付指定状態のときにユーザが該「表紙添付」キー７９ｃにタッチすると、「表紙添付」キー７９ｃは、表紙添付の非指定状態を示す表示に切換わる。
【００７１】
ユーザがスタートボタン８０ｃを押すと、そのときの設定状態すなわち複写条件を表すデータが、システムコントローラ３１ａの転送制御によって、操作ボード２２０からプロセスコントローラ１３１に転送され、この複写条件にしたがって、プロセスコントローラ１３１が複写プロセスのシーケンス制御を開始する。
【００７２】
図８に、プロセスコントローラ１３１およびシステムコントローラ３１ａによる、操作ボード２２０又はパソコンＰＣからの画像読取スタート指示に応答したコピー処理の概要を示す。ここではまず、表表紙添付指定があり表表紙への印刷指定がないと、第１トレイ８から１枚の用紙を送出し、作像なしにプリンタＰＴＲから排出する（ステップ１〜３）。なお、以下においてカッコ内には、ステップという語を省略してステップＮｏ．数字のみを記す。
【００７３】
表表紙添付指定があり表表紙への印刷指定があった場合には、原稿台２４１上に原稿があることを原稿センサ２２３が検出しているときにはＡＤＦ２３０の原稿送給による原稿画像読取を開始し、原稿を検出していないときにはスキャナ２１０の読取光学系の副走査駆動ｙによるコンタクトガラス２３１上の原稿画像読取を開始して、読取った画像データにＩＰＰのスキャナ画像処理１９０で読取補正を加えてＭＥＭに書込むと共に、この時ＩＰＰで画像データに基いて原稿画像のサイズを判定する。一ページの画像読取が終ると画像サイズの判定が定まるので、ＭＥＭ内の画像データを該画像サイズのもののみに修正（削減）すると共に、修正した画像ページに画像サイズ情報を付加する。そして１ページの読取終了とサイズ情報をプロセスコントローラ１３１に与える。プロセスコントローラ１３１は、給紙段を第１トレイ８に定めて、ＭＥＭの画像データをＩＰＰに送出してプリンタ画質処理３００で、画像サイズが第１トレイ８の用紙サイズを越えるのであれば用紙サイズ内とする変倍をすると共に、その他の画質処理を施して、プリンタＰＴＲに出力する作像プロセスを開始する。これにより、第１トレイ８から表紙を送出してＭＥＭの１ページの画像を印刷した、設定枚数の表表紙がプリンタＰＴＲから排出される（４）。
【００７４】
表表紙に関する上述の処理（１〜４）の次にプロセスコントローラ１３１は、ＡＤＦ２３０の原稿センサ２２３の検出信号を参照して、それが原稿を検出していると、ＡＤＦ２３０の原稿送給による原稿画像読取を開始し、読取った画像データにＩＰＰのスキャナ画像処理１９０で読取補正を加えてＭＥＭに書込むと共に、この時ＩＰＰで画像データに基いて原稿画像のサイズを判定する。一ページの画像読取が終ると画像サイズの判定が定まるので、ＭＥＭ内の画像データを該画像サイズのもののみに修正（削減）すると共に、修正した画像ページに画像サイズ情報を付加する（５，６）。
【００７５】
そして、裏表紙添付指定がある場合にはＡＤＦ２３０の原稿センサ２２３の検出信号を参照する。ここで次原稿を検出していると、ＭＥＭに最新に格納した画像のページは最後のページではないので、プロセスコントローラ１３１は、給紙段を複写条件に基いて第２トレイ９又は第３トレイ１０に定めて、ＭＥＭの画像データをＩＰＰに送出してプリンタ画質処理３００で画質処理を施して、プリンタＰＴＲに出力する、設定複写条件の作像プロセスを開始する。これにより、第２トレイ９又は第３トレイ１０から中用紙を送出してＭＥＭの１ページの画像を印刷した、設定枚数の表表紙がプリンタＰＴＲから排出される（９）。これは中用紙への本文画像の印刷である。ここでは給紙段は、第２トレイ９又は第３トレイ１０に定められ、所要の変倍がおこなわれる。その内容は図９に示し後述する。
【００７６】
上記原稿読取と中用紙への印刷を繰返し（６〜９−６）、原稿台２４１上の最後の原稿の送給と画像読取を行うと、原稿センサ２２３の検出信号が原稿ありから原稿無しに変化する。この原稿無しになるとプロセスコントローラ１３１は、読取のつなぎ指定がなく、裏表紙添付指定がある場合には、裏表紙に画像印刷が指定されていると、給紙段を第１トレイ８に定めて、ＭＥＭの画像データをＩＰＰに送出してプリンタ画質処理３００で、画像サイズが第１トレイ８の用紙サイズを越えるのであれば用紙サイズ内とする変倍をすると共に、その他の画質処理を施して、プリンタＰＴＲに出力する作像プロセスを開始する。これにより、第１トレイ８から表紙を送出してＭＥＭの１ページの画像を印刷した、設定枚数の裏表紙がプリンタＰＴＲから排出される（８−１０−１１−１３−１６）。裏表紙に画像印刷が指定されていないときには、給紙段を第２又は第３トレイに定めて、ＭＥＭの画像データを中用紙に印刷し（８−１０−１１−１３−１４）、そして第１トレイ８の表紙を、作像無しでプリンタＰＴＲから排出する（１５）。
【００７７】
前記原稿無しになったときに読取のつなぎ指定があった場合には、プロセスコントローラ１３１は、読取のつなぎ時間Ｒｗ（図７に示す例では１２秒）を時限値としてタイマーをスタートする（１０−１７）。この時間Ｒｗは、ユーザの原稿載置行為を一連（一群）の原稿のものと見なす「読取のつなぎ」を指定し、つながっていると判定するための原稿載置時間間隔の最大値、であり、ユーザが図７に示す表紙添付の入力画面に入力したものである。
【００７８】
タイマーがタイムオーバ（時限値の時間経過）するまでに原稿センサ２２３が原稿を検出すると、あるいは、スタートボタン８０ｃが押されると、続きの原稿ありと推定し、給紙段を第２又は第３トレイ９，１０に定めて、ＭＥＭの画像データを中用紙に印刷する（１７−１８−１９−２１）。
【００７９】
原稿センサ２２３が原稿を検出することなく、また、スタートボタン８０ｃが押されることなく、タイマがタイムオーバすると、プロセスコントローラ１３１は、ＭＥＭに読込んでいる１ページの画像が一連（一群）の原稿の最後のものと見なして、第１トレイ８から表紙を送出してＭＥＭの１ページの画像を印刷しプリンタＰＴＲから排出する（１８−１３−１６）。又は、給紙段を第２又は第３トレイに定めて、ＭＥＭの画像データを中用紙に印刷し（１８−１３−１４）、そして第１トレイ８の表紙を、作像無しでプリンタＰＴＲから排出する（１５）。
【００８０】
上述の説明は、原稿台２４１上の原稿を送給してシートスルーで画像を読取る態様である。シートスルー読取が難しい原稿は、コンタクトガラス２３１に載置され、読取ページをユーザが変えるたびに、ユーザがスタートボタン８０ｃを押す。すなわち読取指示を与える。この場合には、中用紙に印刷する第１ページの画像を読取るとき、ステップ５からステップ２２に進んで、プロセスコントローラ１３１は、原稿スキャナ２１０の光学系を副走査駆動ｙしてコンタクトガラス２３１上の原稿を読取り、ＭＥＭに読取った画像データを書込み、かつ、画像サイズを判定する（２２）。この内容は、原稿走査態様が異なる点を除いて、前述のステップ６の内容と同様である。
【００８１】
そして、この光学系の副走査駆動方式の原稿画像読取では、数ページを一群とする書画であっても、１ページの読取り毎にユーザがスタートボタン８０ｃを押す。すなわち読取指示を与える。この実施例では、裏表紙添付指定があり，読取のつなぎ指定があり、しかも先行ページの読取を終えてから前記読取のつなぎ時間Ｒｗ以内に該読取指示があると、この読取指示があるページは、先行して直前に読取ったページと一群の文書と見なす。すなちわ、先行して直前に読取ってＭＥＭに書き込んでいる１ページの画像は、１組の文書の最終ページではない、と見なす。そしてこの場合には、ＭＥＭの１ページの画像を、第２又は第３トレイ９，１０から中用紙を送り出してそれに印刷する（２２−２３−２４−１７−１８−１９−２１）。裏表紙添付指定があり、しかも読取のつなぎ指定があるが、先行ページの読取を終えてから前記読取のつなぎ時間Ｒｗ以内に読取指示がないと、ＭＥＭの１ページの画像は１組の文書の最終ページであるとみなし、第１トレイ８から表紙を送出してＭＥＭの１ページの画像を印刷しプリンタＰＴＲから排出する（１８−１３−１６）。又は、給紙段を第２又は第３トレイに定めて、ＭＥＭの画像データを中用紙に印刷し（１８−１３−１４）、そして第１トレイ８の表紙を、作像無しでプリンタＰＴＲから排出する（１５）。
【００８２】
図９に、中用紙に画像を印刷する図８上のステップ９，１２，１４，２０の内容を示す。この内容は、通常の複写における給紙段および変倍設定において公知のものである。複写条件の内容の１つが、「自動用紙選択」であった場合には、プロセスコントローラ１３１は、複写条件の中の変倍倍率でＭＥＭの画像サイズを変倍した画像が収まる最小のサイズの用紙を収納したトレイ（９又は１０）を給紙段に定めて（３１，３２）、該給紙段から用紙を送給してそれに、ＭＥＭの画像データをＩＰＰに読み出して画質処理３００で所要の補正をしてプリンタＰＴＲに出力する、設定枚数分の作像プロセスを実行する（３７）。すなわち、ＭＥＭの画像データの印刷をする（３７）。
【００８３】
複写条件の内容に、「変倍」の指定があり、しかも用紙サイズの指定があると、該サイズの用紙を収納したトレイ（９又は１０）を給紙段に定め、ＩＰＰの画質処理３００に指定倍率の変倍を設定する（３３−３４−３５）。そしてＭＥＭの画像データの印刷をする（３７）。複写条件の内容に、「変倍」の指定があるが、用紙サイズの指定はないときには、ＩＰＰの画質処理３００に指定倍率の変倍を設定し、変倍後の画像サイズが入る最小サイズの用紙を収納したトレイ（９又は１０）を給紙段に定める（３３−３４−３６）。そしてＭＥＭの画像データの印刷をする（３７）。自動用紙選択の指定がなく、変倍の指定もないときには、指定されたトレイ（９又は１０）を給紙段に定めて、等倍の画質処理をＩＰＰに設定してＭＥＭの画像データの印刷をする（３１−３３−３７）。
【００８４】
図１０に、表紙用紙（トレイ８に収納した用紙）に画像を印刷する、図８上のステップ１６の内容を示す。なおこの処理は、ステップ４の中でも実行される。この処理に進むとプロセスコントローラ１３１は、複写条件の中の変倍倍率でＭＥＭの画像サイズを変倍した画像が第１トレイ８の表紙用紙のサイズ内に収まらないと、表紙用紙サイズに収まる倍率を、ＩＰＰの画質処理３００に設定する（４１，４２）。表紙用紙のサイズ内に収まるときには、複写条件の中の変倍倍率をＩＰＰの画質処理３００に設定する。そして、第１トレイ８を給紙段に定めて、該給紙段から用紙を送給してそれに、ＭＥＭの画像データをＩＰＰに読み出して画質処理３００で所要の補正をしてプリンタＰＴＲに出力する、設定枚数分の作像プロセスを実行する（４３）。すなわち、ＭＥＭの画像データの、表紙用紙への印刷をする（４３）。
【００８５】
【発明の効果】
以上のように、最終ページの原稿の読取をしたときには、次の別原稿の読取りはないので、裏表紙送給に設定された給紙トレイから用紙が送出されてそれに、読取った画像すなわち最終ページの画像が印刷される。最終ページよりも前の原稿の読取りであったときには、次の別原稿の読取りがあるので、裏表紙送給に設定された給紙トレイ８とは別の給紙トレイ９又は１０から中用紙が送出されてそれに、読取った画像すなわち最終ページよりも前のページの画像が印刷される。裏表紙挿入位置をユーザが設定しなくても、自動的に、最終ページ位置に給紙トレイ８の裏表紙が、画像を印刷して配置される。
【図面の簡単な説明】
【図１】本発明の１実施例の、複合画像処理機能があるフルカラー複写機の外観を示す拡大正面図である。
【図２】図１に示すカラープリンタＰＴＲの拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図４に示す画像データ処理器ＩＰＰの画像データ処理機能を示すブロック図である。
【図６】図１に示す操作ボード２２０の一部の拡大平面図である。
【図７】図６に示す液晶タッチパネル７９の「表紙添付」キー７９ｃを押したときに液晶タッチパネル７９に表示される「表紙添付」の入力画面を示す平面図である。
【図８】図４に示すシステムコントローラ３１ａとプロセスコントローラ１３１によって実行される「コピー処理」ＣＰＲの概要を示すフローチャートである。
【図９】図８に示す「ＭＥＭの内容を中用紙に印刷」９，１２，１４，２０に共通する内容を示すフローチャートである。
【図１０】図８に示す「ＭＥＭの内容を表紙用紙に印刷」９，１６に共通する内容を示すフローチャートである。
【符号の説明】
８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ      ２５０：軸
２５１：スケール        ２６０：モータ制御ユニット
４０８：撮像装置        ４０９：白色背板
【図１】
2005049502.tif 000003
【図２】
2005049502.tif 000004
【図３】
2005049502.tif 000005
【図４】
2005049502.tif 000006
【図５】
2005049502.tif 000007
【図６】
2005049502.tif 000008
【図７】
2005049502.tif 000009
【図８】
2005049502.tif 000010
【図９】
2005049502.tif 000011
【図１０】
2005049502.tif 000012